(57)【要約】      （修正有）【課題】物品を収納する読取書込ボックス内で、物品の無線タグ部分が、常に、読取りおよび書込み各アンテナの正常反応エリア内に位置する無線タグ読取書込装置を提供する。【解決手段】側壁面の一部に読取りおよび書込みアンテナが設置され、且つ、開口部１１から無線タグ付き物品が収納される物品収納ボックス１０を収納する無線タグ読取書込装置１６において、側壁面に設けた固定ネジ１２を取り付ける固定ネジ取付け部１３と回転軸１５を挿入させる軸受孔１４とが具備されている物品収納ボックス１０と、外部側壁面に固定ネジ取付け部１３がスライドする傾斜スライド溝１８と、回転軸１５が挿入される挿入穴２０とが具備されている無線タグ読取書込装置１６とを有し、この無線タグ読取書込装置１６の収納区画内で、物品収納ボックス１０が回転軸１５を中心に回転傾斜できるように、物品収納ボックス１０を無線タグ読取書込装置１６の収納区画内に取付けた。【選択図】図１
2006272056.tif 000002
【特許請求の範囲】
【請求項１】
側壁面の一部に読取りアンテナと書込みアンテナとが設置され、且つ、開口部から無線タグ付き物品が収納される読取書込ボックスを収納する無線タグ読取書込装置において、開口部付近の側壁面に設けた固定ネジを取り付ける固定ネジ取付け部と細長い回転中心軸棒を貫通挿入させる挿入孔とが具備されている読取書込ボックスと、外部側壁面の収納口付近に前記固定ネジ取付け部がスライドする傾斜スライド溝と、前記回転中心軸棒が貫通挿入される挿入穴とが具備されている無線タグ読取書込装置とを有し、この無線タグ読取書込装置の収納区画内で、前記読取書込ボックスが前記回転中心軸棒を中心に回転傾斜できるように、前記読取書込ボックスを前記無線タグ読取書込装置の収納区画内に取付けたことを特徴とする無線タグ読取書込装置。
【請求項２】
前記傾斜スライド溝は弓型形状であることを特徴とする請求項１記載の無線タグ読取書込装置。
【請求項３】
前記固定ネジ取付け部は突起状に形成されていることを特徴とする請求項１記載の無線タグ読取書込装置。
【発明の詳細な説明】
【技術分野】
【０００１】
本発明は、読取りアンテナを装置上面に、また、書込みアンテナを装置背部に設置して、ＲＦＩＤ（以下、無線タグと呼ぶ）付き物品から管理情報を読み取りかつ書き込む無線タグ読取書込装置に関する。
【背景技術】
【０００２】
従来、この種の無線タグ読取書込装置は、図４に示したように、無線タグ読取書込装置１が複数の無線タグ読取書込ボックス収納部２に区分けされていて、この無線タグ読取書込ボックス収納部２に、図５（後記）のような一端に無線タグ３が貼付された物品、例えば、郵便物４を収納する読取書込ボックス５を、収納させていたが、その無線タグ読取書込ボックス収納部２は、下記特許文献１に記載されているように、底面が水平面になっているので、読取書込ボックス５もその底面が水平状態のまま無線タグ読取書込ボックス収納部２に収納設置されていた。
【特許文献１】特開２００４−４３０４９号公報
【発明の開示】
【発明が解決しようとする課題】
【０００３】
そのために、読取書込ボックス５に無線タグ３付きの郵便物４を複数部収納すると、無線タグ３の部分が重なり、その重なった無線タグ３の部分の厚みや、或いは、郵便内容物の厚みなどから、郵便物４が傾いた状態になり、それが原因で、郵便物４が手前側、すなわち、郵便物４を挿入する開口部６側に滑り出して、側壁の一部に取付けられている読取りアンテナ７および書込みアンテナ８それぞれの正常読取り書込み可能エリア９（以下、正常反応エリア９と呼ぶ）から外れて、無線タグ３による位置情報の読取りや無線タグ３への管理情報の書込みなどが不可能になるという問題があった。
【０００４】
この問題点を分り易く示したのが前記した図５であるが、同図においては、郵便物４の無線タグ３部分の重なりが原因で、郵便物４の上の２枚が開口部６側に滑り出て、無線タグ３の部分が読取りアンテナ７および書込みアンテナ８の正常反応エリア９から外れている状態が示されている。
【０００５】
そこで、本発明の目的は、郵便物等の物品を収納する読取書込ボックス内で、郵便物の無線タグ部分が、常に、読取りおよび書込み各アンテナの正常反応エリア内に位置する無線タグ読取書込装置を提供することにある。
【課題を解決するための手段】
【０００６】
本発明の無線タグ読取書込装置は、側壁面の一部に読取りアンテナと書込みアンテナとが設置され、且つ、開口部から無線タグ付き物品が収納される読取書込ボックスを、収納する無線タグ読取書込装置において、開口部付近の側壁面に設けた固定ネジを取り付ける固定ネジ取付け部と細長い回転中心軸棒を貫通挿入させる挿入孔とが具備されている読取書込ボックスと、外部側壁面の収納口付近に前記固定ネジ取付け部がスライドする傾斜スライド溝と、前記回転中心軸棒が貫通挿入される挿入穴とが具備されている無線タグ読取書込装置とを有し、この無線タグ読取書込装置の収納区画内で、前記読取書込ボックスが前記回転中心軸棒を中心に回転傾斜できるように、前記読取書込ボックスを前記無線タグ読取書込装置の収納区画内に取付けたことを特徴とするものである。
【０００７】
また、本発明の無線タグ読取書込装置においては、前記傾斜スライド溝は弓型形状であることを特徴とするものである。
【０００８】
さらに、本発明の無線タグ読取書込装置においては、前記固定ネジ取付け部は突起状に形成されていることを特徴とするものである。
【発明の効果】
【０００９】
本発明によれば、読取書込ボックスの傾きが自由に調整できるので、物品の内容物や無線タグ部の厚み、および物品の堆積量などに関係なく、物品の開口部への滑り出しがなくなり、したがって、読取書込ボックス内において、物品に貼付されている無線タグの位置が、常に、読取りおよび書込み各アンテナの正常反応エリア内に保持されるので、無線タグによる位置情報の読取りや、無線タグへの管理情報の書込みが、常に、正確に行われる。
【発明を実施するための最良の形態】
【００１０】
以下、本発明の実施形態につき、図面を用いて詳細に説明する。以下の実施形態においては、無線タグが貼付される物品として、封筒のような郵便物を対象として説明するが、本発明はこれに限定されるものではなく、物品、特に、シート状の物品であればどのようなものでも適用可能である。
【００１１】
図１は、本発明による無線タグ読取書込装置と読取書込ボックスとの取付け構成関係を示した斜視図、図２は、無線タグ読取書込装置の傾斜スライド溝と読取書込ボックスの固定ネジとの位置関係を示した説明図で、同図（Ａ）は読取書込ボックスが水平状態の概略側面図、同図（Ｂ）は読取書込ボックスを傾斜させた状態の概略側面図、図３は、本発明による傾いた読取書込ボックス内に無線タグ付きの郵便物が正常な状態で収納されている様子を側面から示した説明図である。
【００１２】
なお、図２乃至図３において、図１と同一構成部分には同一符号を付して示し、その構成部分の詳細な説明は省略して、以下では図１と相違する構成部分についてのみ主として説明する。
【００１３】
図１において、郵便物収納ボックス１０の開口部１１付近の側壁面底部には固定ネジ１２が螺合するネジ孔１３が固定されている。また、郵便物収納ボックス１０の開口部１１と反対側の端部における左右側壁面の対向位置には軸受孔１４があけられており、それらの軸受孔１４には細長い回転軸１５の両端部が挿入され、軸受けされている。
【００１４】
一方、無線タグ読取書込装置１６には、その側壁面１７に、前記ネジ孔１３に螺合する固定ネジ１２がスライドする弧状のスライド溝１８が、郵便物収納ボックス１０の各収納区画１９に対応して形成されている。そして無線タグ読取書込装置１６の側壁面１７の各収納区画１９の奥側の底部には、前記回転軸１５を挿入する第２の軸受孔２０があけられている。
【００１５】
そして、郵便物収納ボックス１０を無線タグ読取書込装置１６の収納区画毎に収納させてから、回転軸１５を中心軸挿入孔２０から郵便物収納ボックス１０の軸受け孔１４を貫通させて挿入し、郵便物収納ボックス１０が無線タグ読取書込装置１６の収納区画１９内で回転軸１５を中心として回転するように、軸ネジ２１を回転軸１５にあけられたネジ孔２２に締め付けることにより、取り付ける。
【００１６】
同時に、傾斜スライド溝１８から外部に突起させた固定ネジ１２をネジ孔１３に螺合締め付けて固定する。
【００１７】
以上の無線タグ読取書込装置１６への郵便物収納ボックス１０の取り付けを、設けられた収納区画１９全てについて行う。
【００１８】
図２（Ａ）は、郵便物収納ボックス１０が水平状態である場合のスライド溝１８と固定ネジ１２との位置関係を示しているが、この場合、固定ネジ１２はスライド溝１８の最下端に位置している。
【００１９】
一方、同図（Ｂ)は、郵便物収納ボックス１０が最大傾斜している状態で、固定ネジ１２が傾斜スライド溝１８の最上端に位置している。
【００２０】
また、図３には、郵便物収納ボックス１０にある傾きを与えることによって、無線タグ２３が貼付されている複数の郵便物２４が、郵便物収納ボックス１０内において、開口部１１側に滑り出さない状態で収納されており、その無線タグ２３が書込アンテナ２６の正常書込みエリア２７内に位置している状態が示されている。
【００２１】
なお、郵便物２４の収納位置を読取る読取アンテナ２５は、郵便物収納ボックス１０の先端部上面に、また、郵便物２４の配布先や重量などの管理情報を書込む書込アンテナ２６は、郵便物収納ボックス１０の先端正面に、それぞれ設置されている。
【００２２】
さらに、郵便物収納ボックス１０の内部においては、正常書込みエリア２７の開口部１１側の上下左右壁面に電波吸収材２８が貼付されており、開口部１１方向への電波の反射や漏れを防ぐと共に、隣接する上下左右の郵便物収納ボックス１０との相互電波干渉が防止されるように構成されている。
【００２３】
このような構成において、郵便物の区分け作業員は、無線タグ２３（図３）が添付された郵便物２４（図３）を宛先別に、順次、郵便物収納ボックス１０に、その開口部１１から収納していく。
【００２４】
この時、区分け作業員は、郵便内容物や無線タグ２３の厚さ、および郵便物２４（図３）の堆積量などから、収納される郵便物２４の堆積状態を観察して、図３のように、無線タグ２３が書込みアンテナ２６の正常書込みエリア２７内に位置するように、例えば、固定ネジ１２の頭を持って、郵便物収納ボックス１０の傾きを調整しながら、郵便物２４の区分け作業を行う。
【００２５】
このように、郵便物収納ボックス１０内において、無線タグ２３の位置が、常に、書込みアンテナ２６の正常書込みエリア２７内に保持されているので、無線タグ２３からの位置情報の読取りや、無線タグ２３への管理情報の書込みが、常に、正確に実行される。
【図面の簡単な説明】
【００２６】
【図１】本発明による無線タグ読取書込装置と読取書込ボックスとの取付け構成関係を示した斜視図である。
【図２】本発明による無線タグ読取書込装置の傾斜スライド溝と読取書込ボックスの固定ネジとの位置関係を示した説明図で、同図（Ａ）は読取書込ボックスが水平状態の概略側面図、同図（Ｂ）は読取書込ボックスを傾斜させた状態の概略側面図である。
【図３】本発明による傾いた読取書込ボックス内に無線タグ付きの郵便物が正常な状態で収納されている様子を側面から示した説明図である。
【図４】従来の無線タグ読取書込装置を示した斜視図である。
【図５】従来の読取書込ボックスを側面から示した説明図である。
【符号の説明】
【００２７】
１，１６  無線タグ読取書込装置
２  読取書込ボックス収納部
３，２３  無線タグ
４，２４  郵便物
５，１０  読取書込ボックス
６，１１  開口部
７，２５  読取りアンテナ
８，２６  書込みアンテナ
９，２７  正常書込みエリア
１２  固定ネジ
１３  ネジ孔
１４  軸受孔
１５  回転軸
１７  側壁面
１８  スライド溝
１９  収納区画
２０  中心軸挿入孔
２１  軸ネジ
２２  第２のネジ孔
２８  電波吸収材
【図１】
2006272056.tif 000003
【図２】
2006272056.tif 000004
【図３】
2006272056.tif 000005
【図４】
2006272056.tif 000006
【図５】
2006272056.tif 000007